(57)【要約】【課題】照射手段の効果を最大限生かしながらも、発熱による影響を押さえた照射装置および赤目緩和装置を提供する。【解決手段】対象物に照射する照射手段、照射手段の周辺に配置される周辺部材、前記照射手段あるいは前記周辺部材の温度を測定する温度測定手段を有し、照射手段及びその周辺部材の温度に応じて、照射手段の動作を制限する構成としている。【選択図】図１
2004004375.tif 000002
【特許請求の範囲】
【請求項１】
撮影に先立って被写体の赤目を緩和させる赤目緩和手段、赤目緩和手段の周辺に配置される周辺部材、前記赤目緩和手段あるいは前記周辺部材の温度を測定する温度測定手段を有し、
赤目緩和手段及びその周辺部材が所定の温度を超えた場合には、赤目緩和手段の動作を停止することを特徴とする赤目緩和装置。
【請求項２】
撮影に先立って被写体の赤目を緩和させる赤目緩和手段、赤目緩和手段の周辺に配置される周辺部材、前記赤目緩和手段あるいは前記周辺部材の温度を測定する温度測定手段を有し、
赤目緩和手段及びその周辺部材の温度に応じて、赤目緩和手段の動作を制限することを特徴とする赤目緩和装置。
【請求項３】
撮影に先立って被写体の赤目を緩和させる赤目緩和手段、電源電圧を検出する電源電圧検出手段を有し、
前記電源電圧検出手段の出力に応じて、電源電圧が高い場合には赤目緩和手段の動作を停止することを特徴とする赤目緩和装置。
【請求項４】
撮影に先立って被写体の赤目を緩和させる赤目緩和手段、電源電圧を検出する電源電圧検出手段を有し、
前記電源電圧検出手段の出力に応じて、赤目緩和手段の動作を制限することを特徴とする赤目緩和装置。
【請求項５】
撮影に先立って被写体の赤目を緩和させる赤目緩和手段、操作手段を有し、
前記操作手段の動作に連動して、時系列的に赤目緩和手段の動作を制限することを特徴とする赤目緩和装置。
【請求項６】
撮影に先立って被写体に照射することによって赤目を緩和させる赤目緩和手段、赤目緩和手段の設定条件を変更するモード手段を有し、
前記設定モードに応じて、赤目緩和手段の動作を制限することを特徴とする赤目緩和装置。
【請求項７】
前記赤目緩和手段として被写体に照射することによって赤目を緩和する照明手段を有し、
前記照明手段の照明を停止あるいは照明光量を減少させることによって赤目緩和手段の動作を停止あるいは制限することを特徴とする請求項１から６のいずれかに記載の赤目緩和装置。
【請求項８】
前記照明手段に流す電流を減少させることによって赤目緩和手段の動作を制限することを特徴とする請求項１から６のいずれかに記載の赤目緩和装置。
【請求項９】
前記照明手段を動作する回数を減少させることによって赤目緩和手段の動作を制限することを特徴とする請求項１から６のいずれかに記載の赤目緩和装置。
【請求項１０】
前記照明手段の動作時間を減少させることによって赤目緩和手段の動作を制限することを特徴とする請求項１から６のいずれかに記載の赤目緩和装置。
【請求項１１】
前記照明手段にかかる駆動電圧を減少させることによって赤目緩和手段の動作を制限することを特徴とする請求項１から６のいずれかに記載の赤目緩和装置。
【請求項１２】
複数の照明手段を有し、前記複数の照明手段を動作させる数を減少させることによって赤目緩和手段の動作を制限することを特徴とする請求項１から６のいずれかに記載の赤目緩和装置。
【請求項１３】
更に照明手段への照明エネルギを蓄積する蓄積手段を有し、
前記蓄積手段の蓄積エネルギを減少させることによって赤目緩和手段の動作を制限することを特徴とする請求項１から６のいずれかに記載の赤目緩和装置。
【請求項１４】
更に書き換え可能な記憶手段を有し、
前記赤目緩和手段の動作を制限するパラメータは書き換え可能なメモリ手段によって設定あるいは補正されることを特徴とする請求項１から１３のいずれかに記載の赤目緩和装置。
【請求項１５】
更に温度を検出する温度検出手段を有し、
温度検出手段の出力に応じて、前記赤目緩和手段の動作を制限するパラメータを補正することを特徴とする請求項１から１３のいずれかに記載の赤目緩和装置。
【請求項１６】
対象物に照射する照射手段、照射手段の周辺に配置される周辺部材、前記照射手段あるいは前記周辺部材の温度を測定する温度測定手段を有し、
照射手段及びその周辺部材の温度に応じて、照射手段の動作を制限することを特徴とする照射装置。
【請求項１７】
対象物に照射する照射手段、電源電圧を検出する電源電圧検出手段を有し、
前記電源電圧検出手段の出力に応じて、電源電圧が高い場合には照射手段の動作を停止することを特徴とする照射装置。
【請求項１８】
対象物に照射する照射手段、電源電圧を検出する電源電圧検出手段を有し、
前記電源電圧検出手段の出力に応じて、照射手段の動作を制限することを特徴とする照射装置。
【請求項１９】
対象物に照射する照射手段、操作手段を有し、
前記操作手段の動作に連動して、時系列的に照射手段の動作を制限することを特徴とする照射装置。
【請求項２０】
対象物に照射する照射手段、照射手段の設定条件を変更するモード手段を有し、
前記設定モードに応じて、照射手段の動作を制限することを特徴とする照射装置。
【請求項２１】
前記照射手段の照射光量を減少させることによって照射手段の動作を制限することを特徴とする請求項１６から２０のいずれかに記載の照射装置。
【請求項２２】
前記照射手段に流す電流を減少させることによって照射手段の動作を制限することを特徴とする請求項１６から２０のいずれかに記載の照射装置。
【請求項２３】
前記照射手段を動作する回数を減少させることによって照射動作を制限することを特徴とする請求項１６から２０のいずれかに記載の照射装置。
【請求項２４】
前記照射手段の動作時間を減少させることによって照射手段の動作を制限することを特徴とする請求項１６から２０のいずれかに記載の照射装置。
【請求項２５】
前記照射手段にかかる駆動電圧を減少させることによって照射動作を制限することを特徴とする請求項１６から２０のいずれかに記載の照射装置。
【請求項２６】
複数の照射手段を有し、前記複数の照射手段を動作させる数を減少させることによって照射動作を制限することを特徴とする請求項１６から２０のいずれかに記載の照射装置。
【請求項２７】
更に照射手段への照射エネルギを蓄積する蓄積手段を有し、
前記蓄積手段の蓄積エネルギを減少させることによって照射手段の動作を制限することを特徴とする請求項１６から２０のいずれかに記載の照射装置。
【請求項２８】
更に書き換え可能な記憶手段を有し、
前記照射手段の動作を制限するパラメータは書き換え可能なメモリ手段によって設定あるいは補正されることを特徴とする請求項１６から２７のいずれかに記載の照射装置。
【請求項２９】
更に温度を検出する温度検出手段を有し、
温度検出手段の出力に応じて、前記照射手段の動作を制限するパラメータを補正することを特徴とする請求項１６から２７のいずれかに記載の照射装置。
【発明の詳細な説明】
【０００１】
【発明の属する技術分野】
本発明は、所定の操作に連動して、対象物に光などを投光する照射装置および赤目緩和装置に関するものである。
【０００２】
【従来の技術】
対象物に光などを投光する照明装置はいろいろな用途に使用されている。
【０００３】
例えば、カメラにおいては、ストロボ撮影に先立って被写体に光を投光し、被写体の瞳孔を小さくすることで赤目を緩和する赤目緩和装置が広く使用されている。
【０００４】
これらの赤目緩和装置では、赤目緩和効果を高めるために赤目緩和用投光手段の投光光量を増やしたり、集光させて使用している。
【０００５】
これらの赤目緩和装置において、撮影者の使い方により例えば連続して数十枚撮影するような場合においては、赤目緩和装置の発光に伴う発熱も予想以上に大きくカメラ外装温度を上昇させている。また、レリーズの半押し状態で赤目緩和照明が点灯するようなカメラにおいては、その半押し状態をずっとしておくと、同じく赤目緩和装置の発光に伴う発熱も予想以上に大きくカメラ外装温度を上昇させてしまう。このため、撮影者に不快な思いをさせたり、最悪の場合にはカメラ外装の状態を変化させたりすることもある。
【０００６】
これに対して、赤目緩和装置の集光光学系に放熱用の穴を空けたり、各三番を入れて集光させないようにしたり、所定の時間が経過すると一律で赤目緩和用の投光を止めている。
【０００７】
【発明が解決しようとする課題】
しかしながら、これらの赤目緩和装置において、赤目緩和装置の集光光学系に放熱用の穴を空けたり、拡散板をいれて集光させないようにしたりすると、本来の目的の赤目緩和効果が低下し、赤目がでやすくなってしまう。特に、近年の小型化に伴い撮影レンズとストロボ装置との距離がとれず、より赤目がでやすくなっているカメラにとっては大きな問題となっている。
【０００８】
また、放熱用の穴からの光線漏れ、熱の影響および拡散板等の追加部材等によるカメラの大型化、コストアップ等の要因となっている。
【０００９】
さらに、所定の時間が経過すると一律で赤目緩和用の照明を止める場合にも、赤目緩和照明中に撮影がなされれば良いが、そうでない場合にはやはり赤目緩和効果が減ってしまう。
【００１０】
本発明はこのような問題点に鑑みなされたもので、照射手段の効果を最大限生かしながらも、発熱による影響を押さえた照射装置および赤目緩和装置を提供することを目的とするものである。
【００１１】
【課題を解決するための手段】
前記目的を達成させるために、本発明は撮影に先立って被写体の赤目を緩和させる赤目緩和手段、赤目緩和手段の周辺に配置される周辺部材、前記赤目緩和手段あるいは前記周辺部材の温度を測定する温度測定手段を有し、赤目緩和手段及びその周辺部材が所定の温度を超えた場合には、赤目緩和手段の動作を停止あるいは制限することを特徴とする。
【００１２】
また本発明は撮影に先立って被写体の赤目を緩和させる赤目緩和手段、電源電圧を検出する電源電圧検出手段を有し、前記電源電圧検出手段の出力に応じて、電源電圧が高い場合には赤目緩和手段の動作を停止あるいは制限することを特徴とする。
【００１３】
さらに本発明は撮影に先立って被写体の赤目を緩和させる赤目緩和手段、操作手段を有し、前記操作手段の動作に連動して、時系列的に赤目緩和手段の動作を制限することを特徴とする。
【００１４】
また本発明は撮影に先立って被写体に照射することによって赤目を緩和させる赤目緩和手段、赤目緩和手段の設定条件を変更するモード手段を有し、前記設定モードに応じて、赤目緩和手段の照射光量・回数を変更することを特徴とする。
【００１５】
また、上述の撮影に先立って被写体の赤目を緩和させる赤目緩和手段の代わりに対象物に照射するための種々の照射手段を適用することにより、上述した効果を有する照射装置を構成することもできる。
【００１６】
【発明の実施の形態】
（第１実施形態）
図１は本発明の特徴を最も良く表すブロック図であり、同図において１は赤目緩和の程度を設定するモード設定手段、２はモード設定手段１、レリーズ検出手段３、電源電圧検出手段４、温度検出手段５、赤目緩和手段８、メモリ手段９、撮影準備手段１１、撮影手段１２に接続され、そこからの情報をもとに赤目緩和手段ん８の制御を行ったり撮影を行ったりする制御手段、３は撮影に先立ってオンされるレリーズスイッチの状態を検出するレリーズ検出手段、４はカメラの電源電圧を検出する電源電圧検出手段、５は赤目緩和手段の周辺温度を測定する温度測定手段、６は赤目緩和を行うための照明手段７を駆動させる赤目緩和照明駆動手段、７はランプやＬＥＤ或いはストロボＸｅ管等の赤目緩和照明手段、８は赤目緩和照明手段７および赤目緩和照射駆動手段６とで赤目緩和手段を構成する。９は赤目緩和を行う各種パラメータを記憶するメモリ手段、１０はメモリ手段１０ないのパラメータを書き換える書き換え手段、１１は撮影に先立って測光、測距、ストロボ充電等を行い撮影前に必要な情報を算出する撮影準備手段、１２は撮影レンズのピント合わせ、シャッタ開閉、フィルム給送等を行う撮影手段である。
【００１７】
図１のように構成された本実施形態の構成要素に対して図２のフローチャートを用いてこの動作を説明する。
【００１８】
まず、制御手段２はレリーズ手段３によってレリーズスイッチが半押しされたか否かを検出する（♯１０１）。ここで、レリーズスイッチが半押しされれば、次に撮影準備手段１１によって各種の撮影準備動作が行われる。この際に、例えば、ストロボＡＵＴＯモードで輝度が暗い場合にはストロボ撮影となるが、撮影モードにてストロボ発光の際に赤目を緩和させるモードが選択されていた場合、つまり赤目点灯条件が成立した場合には（♯１０２）、赤目緩和照明７を点灯させる（♯１０３）。
【００１９】
そして温度検出手段５により、赤目緩和手段８付近の温度測定を行う（♯１０４）。赤目緩和照明７が点灯したばかりではまだ温度もさほど上昇していないので、ステップ♯１０５にて所定温度以下ということでステップ♯１０７に進み、レリーズ手段３にてレリーズスイッチがオンしていれば（♯１０７）、ステップ♯１０９へ進み、赤目緩和照明７を消灯し（♯１０９）、一連の制御を終了させる。なお、実際にはこの後撮影動作のフローチャートへと進むが、本発明の内容に直接関係がないため、ここでは説明を省略する。
【００２０】
ステップ♯１０７でレリーズ手段３にてレリーズスイッチがオンしていない場合には、撮影者が操作されると思われる最大の時間が経過したか否かを判定し（♯１０８）、経過していた場合には、レリーズスイッチが何らかの原因で撮影者の意図に関係なく半押し状態となったものとして、エネルギの節約を行うために赤目緩和照明を消灯し（♯１０９）、一連の動作を終了する。
【００２１】
ステップ♯１０８にて所定の時間が経過していない場合、例えばレリーズスイッチの半押しの状態でシャッタチャンスを待っている状態のときには、ステップ♯１０４に戻り、温度検出手段５により赤目緩和手段８付近の温度測定を行う。そして、同様に赤目緩和手段８付近の温度が所定温度以上になったか否かを判定する（♯１０５）。所定温度以上でなかった場合には、ステップ♯１０７に進み、以下同様の処理が行われる。
【００２２】
レリーズ半押しの状態を続けていくと、或いは繰り返しレリーズスイッチの半押しがなされた場合（繰り返し撮影がなされた場合）には、赤目緩和手段８付近の温度が徐々に上昇していき、所定温度以上になった場合には（♯１０５）、レリーズスイッチ半押しの状態でシャッタチャンスを待っている状態であっても赤目緩和照明の消灯を行う（♯１０６）。
【００２３】
以上のように、本実施形態によれば、集光光学系に放熱用の穴を空けたり拡散板をいれて集光させないようにしたりすることなしに、光線漏れ、熱の影響及び拡散板等の追加部材等によるカメラの大型化、コストアップすることなしに、且つ通常の撮影の際には所定量の赤目緩和照明を行い赤目発生を抑えるとともに、普段はめったに起こらない使い方をして所定温度以上に温度上昇して危険になった場合にのみ赤目緩和照明を消灯させることにより、カメラ外観が熱くなって撮影者に不愉快な思いをさせずにすませることができる。
【００２４】
なお、図２にてレリーズスイッチを半押しの状態で赤目緩和照明を連続点灯させるようにしたが、本実施形態はこれに限定されるものではない。レリーズスイッチ半押しの状態で所定回数点灯させる場合でも、或いはレリーズスイッチ全押しにて赤目緩和照明を一定時間或いは所定回数点灯させる場合でも同様の効果を得ることができる。
【００２５】
また、ステップ♯１０５にて所定温度と判定された赤目緩和照明を消灯した後に、再度温度が低下した後に赤目緩和照明を点灯させても、或いは赤目緩和照明装置の点灯、消灯によるちらつきを防ぐためにその判定温度にヒステリシスを設けても同様の効果を得ることができる。
【００２６】
（第２実施形態）
図３は本発明の第２実施形態を表すフローチャートである。図２のフローチャートにおいて、ステップ♯１０４からステップ♯１０６までの内容を本フローチャートで説明する。
【００２７】
ステップ♯２０４にて同様に温度検出手段５により、赤目緩和手段８付近の温度測定を行う。この際に赤目緩和手段８付近の温度が所定温度以上であれば（♯２０５）、赤目緩和照明の動作を制限させる（♯２０６）。
【００２８】
以上のように本実施形態によれば、赤目緩和手段８付近の温度が所定温度以上であれば、赤目緩和照明の動作を制限させるので、その分の発熱量が抑えられるため、集光光学系に放熱用の穴を空けたり、拡散板を入れて集光させないようにしたりすることなしに、光線漏れ、熱の影響および拡散板等の追加部材等によるカメラの大型化、コストアップすることなしに、且つ通常の撮影の際には所定量の赤目緩和照明を行い赤目発生を抑えるとともに、普段はめったに起こらない使い方をして所定温度以上に温度上昇して危険になった場合にのみ赤目緩和照明を消灯させることにより、カメラ外観が熱くなって撮影者に不愉快な思いをさせずにすませることができる。
【００２９】
なお、本実施形態は、赤目緩和手段の温度が所定温度以上と判定された際に赤目緩和照明１段階動作を制限させているが、本発明はこれに限定されるものではない。この所定温度を複数設けて、この温度毎に赤目緩和照明の動作を制限する内容を所定量だけ低下競るようにしても本発明の効果を得ることができる。
【００３０】
（第３実施形態）
図４及び図５は、本発明の第３実施形態におけるフローチャートである。図２のフローチャートにおいて、ステップ♯１０４からステップ♯１０６までの内容を本フローチャートにおいて説明を行う。
【００３１】
図４において、ステップ♯３０４にて電源電圧検出手段４にてカメラの電源電圧の測定を行う。この際に電源電圧が高い場合には（♯３０５）、赤目緩和照明を消灯させる（♯３０６）。
【００３２】
図５において、ステップ♯４０４にて電源電圧検出手段４にてカメラの電源電圧の測定を行う。この際に電源電圧が高い場合には（♯４０５）、赤目緩和照明の動作を制限させる（♯４０６）。
【００３３】
以上のように、本実施形態によれば、電池が新品で赤目緩和照明の駆動電圧が高くなる場合でも、この赤目緩和照明の駆動を停止或いは動作を制限させるので、この分の発光熱が抑えられ、集光光学系に放熱用の穴を空けたり拡散板を入れて集光させないようにしたりすることなしに、光線漏れ、熱の影響および拡散板等の追加部材等によるカメラの大型化、コストアップすることなしに、且つ通常の撮影の際には所定量の赤目緩和照明を行い赤目発生を抑えるとともに、普段はめったに起こらない使い方をして所定温度以上に温度上昇して危険になった場合にのみ赤目緩和照明を消灯させることにより、カメラ外観が熱くなって撮影者に不愉快な思いをさせずにすませることができる。
【００３４】
なお、本実施形態ではカメラの電源電圧が所定電圧以上と判定された際に赤目緩和照明を消灯させたり動作を制限させたりしているが、本発明はこれに限定されるものではない。この判定電圧を複数設けて、この判定電圧毎に動作の制限量を複数設定させても、本発明の効果を得ることができる。また、この動作の制限量をカメラ外周の温度によって補正することでもより良い効果を得ることができる。
【００３５】
（第４実施形態）
図６は本発明の第４実施形態におけるフローチャートである。
【００３６】
図６において、制御手段２はレリーズ手段３によってレリーズスイッチが半押しされたか否かを検出する（♯５０１）。ここで、レリーズスイッチが半押しされれば、次に撮影準備手段１１によって各種の撮影準備動作が行われる。この際に、例えばＡＵＴＯモードで輝度が暗い場合にはストロボ撮影となるが、撮影モードにてストロボ発光の際に赤目を緩和させるモードが選択されていた場合、つまり赤目点灯条件が成立した場合には（♯５０２）、赤目緩和照明７を点灯させる（♯５０３）。
【００３７】
その後、タイマーをスタートさせる（♯５０４）。タイマーが第１の所定時間を経過していなければステップ♯５０５にてステップ♯５０７に進み、レリーズ手段３にてレリーズスイッチがオンしていれば（♯５０７）、ステップ♯５０９へ進み、赤目緩和照明７を消灯し（♯５０９）、一連の制御を終了させる。なお、実際にはこの後撮影動作のフローチャートへと進むが、本発明の内容に直接関係がないためここでは説明を省略する。
【００３８】
ステップ♯５０７にてレリーズ手段３にてレリーズスイッチがオンしていない場合には、撮影者が操作されると思われる最大の時間が経過したか否かを第２の所定時間により判定し（♯５０８）、この第２の所定時間を経過していた場合には、レリーズスイッチが何らかの原因で撮影者の意図に関係なく半押し状態になったものとして、エネルギの節約を行うために赤目緩和照明を消灯し（♯５０９）、一連の動作を終了する。
【００３９】
ステップ♯５０８にて第２の所定時間が経過していない場合、例えばレリーズスイッチの半押しの状態でシャッタチャンスを待っている状態のときには、ステップ♯５０５へ戻り、第１の所定時間が経過したか否かを判定する（♯５０５）。第１の所定時間が経過した場合には（♯５０５）、レリーズスイッチの半押しの状態でシャッタチャンスを待っている状態であっても赤目緩和照明の動作を制限させる（♯５０６）。
【００４０】
上述したように本実施形態によれば、赤目緩和照明を時間とともに動作を制限させることにより、集光光学系に放熱用の穴を空けたり拡散板を入れて集光させないようにしたりすることなしに、光線漏れ、熱の影響および拡散板等の追加部材等によるカメラの大型化、コストアップすることなしに、カメラ外観が熱くなって撮影者に不愉快な思いをさせずにすませることができる。
【００４１】
尚、図６にて時間に応じて１つの赤目緩和署名に制限をかけているが、本発明はこれに限定されるものではない。この第１の判定時間が複数あり、これに対応した赤目緩和照明の制限の方法が複数あっても、時系列的にだんだんと動作を制限させるようにしても同様の効果を得ることができる。
【００４２】
（第５実施形態）
図７は本実施形態のフローチャートである。
【００４３】
図７において、制御手段２はレリーズ手段３によってレリーズスイッチが半押しされたか否かを検出する（♯６０１）。ここで、レリーズスイッチが半押しされれば、次に撮影準備手段１１によって各種だの撮影準備動作が行われる。この際に、例えばＡＵＴＯモードで輝度が暗い場合にはストロボ撮影となるが、撮影モードにてストロボ発光の際に赤目を緩和させるモードが選択されていた場合、つまり赤目点灯条件が成立していた場合には（♯６０２）、赤目緩和照明７を点灯させる（♯６０３）。
【００４４】
次に、モード設定手段１によりモードの読み込みを行う（♯６０４）。この際に赤目緩和を強化するようなモードである場合にはステップ♯６０５にてステップ♯６０７に進み、レリーズ手段３にてレリーズスイッチがオンしていれば（♯６０７）、ステップ♯６０９へ進み、赤目緩和照明７を消灯し（♯６０９）、一連の制御を終了させる。なお、実際にはこの後の撮影動作のフローチャートへと進むが、本発明の内容に直接関係がないためここでは説明を省略する。
【００４５】
ステップ♯６０７にてレリーズ手段３にてレリーズスイッチがオンしていない場合には、撮影者が操作されると思われる最大の時間が経過していたか否かを所定時間により判定し（♯６０８）、この後第２の所定時間を経過していた場合には、レリーズスイッチが何らかの原因で撮影者の意図に関係なく半押し状態になったものとして、エネルギの節約を行うために赤目緩和照明を消灯し（♯６０９）、一連の動作を終了する。
【００４６】
ステップ♯６０８にて所定時間が経過していない場合、例えばレリーズスイッチ半押しの状態でシャッタチャンスを待っている状態のときには、ステップ♯６０４に戻る。
【００４７】
ステップ♯６０４にて、モード設定手段１によりモードの読み込みを行い、この際に赤目緩和を強化しなくてもよいモードである場合には（♯６０５）、赤目緩和照明の動作を制限する（♯６０６）。
【００４８】
上述したように本実施形態によれば、赤目緩和の程度をユーザが任意に選択できるので、集光光学系の放熱用の穴を空けたり拡散板をいれて集光させないようにしたりすることなしに、光線漏れ、熱の影響及び拡散板等の追加部材等によるカメラの大型化、コストアップすることなしに、カメラ外観が熱くなって撮影者に不愉快な思いをさせる機械が少なくなる。
【００４９】
なお、図７においてモード設定手段で赤目緩和強化モードか或いはそれ以外かを判定しているが、本発明のはこれに制限されるものではない。例えば、この赤目緩和強化モードを複数設けてこれに応じた赤目緩和照明の動作を制限させたり、また赤目緩和強化モードを他の撮影モードに連動させて通常の撮影モードを選択するだけで同様の動作を行わせても、同様の効果を得ることができる。
【００５０】
（第６実施形態）
図８は本発明の第６実施形態である赤目緩和照明の動作の制限を説明する。
【００５１】
図８において、横軸は時間、縦軸は赤目緩和照明の輝度（照射光量）を表す。まず、各フローチャートのステップ♯※０３にて赤目緩和照明が点灯されるがそのタイミングをＴ０とする。この時の輝度立ち上がりの様子はランプやＬＥＤ或いはストロボＸｅ管等によって異なる。ここでは、安定状態にてＬ０まで輝度が高くなるとする。次に、ステップ♯※０６にて赤目緩和照明の動作が制限された場合には、このタイミングをＴ１とすると安定期にはＬ１まで輝度が低下する。
【００５２】
ストロボの場合にはこれが連続的ではなくトータルの発光光量となる。
【００５３】
以上のように、本実施形態では、赤目緩和の動作を制限させるのに、赤目緩和照明の輝度を変えることにより、或いは赤目緩和照明の照射光量を変えることにより実現させているので、集光光学系に放熱用の穴を空けたり拡散板を入れて集光させないようにしたりすることなしに、または光線漏れ、熱の影響および拡散板等の追加部材等によるカメラの大型化、コストアップすることなしに、カメラ外観が熱くなって撮影者に不愉快な思いをさせずにすませることができる。
【００５４】
（第７実施形態）
図１０は本発明の第７実施形態における赤目緩和照明の動作の制限を説明する。
【００５５】
図１０において、横軸は時間、縦軸は赤目緩和照明の点灯状態（明るさ）を表す。
【００５６】
まず、図１０（ａ）において通常の動作を説明する。各フローチャートのステップ♯※０３にて赤目緩和照明が駆動されると、この間はＮ１、Ｎ２、Ｎ３、Ｎ４・・・と繰り返して点灯時間ΔＴにて点灯させる。
【００５７】
次に、ステップ♯※０６にて赤目緩和照明の動作が制限された場合には、図１０（ｂ）の実施形態では点灯時間は同じで単位時間当たりの駆動回数を減らすような制御が行われる。すなわち、図１０（ａ）においてＮ２、Ｎ４が間引きされたような駆動となる。
【００５８】
また、ステップ♯※０６にて赤目緩和照明の動作が制限された場合には、図１０（ｃ）の実施形態では単位時間当たりの駆動回数は同じにして、一回当たりの点灯時間を短くするような制御が行われる。即ち、図１０（ａ）においてΔＴがΔＴ■のように短い駆動を行う。
以上のように本実施形態によれば、赤目緩和の動作を制限させるのに、赤目緩和照明の単位時間当たりの駆動回数を減らしたり、又は単位時間当たりの駆動回数は同じで駆動時間を短くすることにより実現させているので、集光光学系に放熱用の穴を空けたり拡散板を入れて集光させないようにしたりすることなしに、または光線漏れ、熱の影響および拡散板等の追加部品等によるカメラの大型化、コストアップすることなしに、カメラ外観が熱くなって撮影者に不愉快な思いをさせずにすませることができる。
【００５９】
（第８実施形態）
図１１は本発明の第８実施形態における赤目緩和照明の動作を制限する。
【００６０】
図１１（ａ）において、横軸はカメラの電源電圧、縦軸は赤目緩和照明への駆動電源を表す。図４のフローチャートにてステップ♯３０４でカメラの電源電圧を測定し、所定電圧以上（Ｖｊｕｄｇｅ）であればステップ♯３０６にて駆動電圧を０Ｖにして駆動を停止させる。
【００６１】
図１１（ｂ）において、横軸はカメラの電源電圧、縦軸は赤目緩和照明への駆動電圧を表す。図４のフローチャートにてステップ♯３０４でカメラの電源電圧を測定し、所定電圧以上（Ｖｊｕｄｇｅ）であればステップ♯３０６にて駆動電圧をＶｍａｘに制限する。Ｖｍａｘに制限する方法は、フィードバック回路による定電圧駆動でも、ＰＷＭ駆動によってもよい。
【００６２】
以上のように本発明によれば、赤目緩和の動作を制限させるのに、赤目緩和照明への駆動電圧を変えることにより実現させているので、集光光学系に放熱用の穴を空けたり拡散板を入れて集光させないようにしたりすることなしに、または光線漏れ、熱の影響および拡散板等の追加部材等によるカメラの大型化、コストアップすることなしに、カメラ外観が熱くなって撮影者に不愉快な思いをさせずにすませることができる。
【００６３】
（第９実施形態）
図１２は本発明の第９実施形態である赤目緩和照明動作の制限を説明する。
【００６４】
図１２において、構成要素１から１２までは図１のブロック図における構成要素と同一なので説明を省略する。１３は赤目緩和を行うための照明手段１４を駆動させる別の赤目緩和照明駆動手段、７はランプやＬＥＤ或いはストロボＸｅ管等の別の赤目緩和照明手段、１５は別の赤目緩和照明手段１４および別の赤目緩和照射駆動手段１３とで別の赤目緩和手段を構成する。
【００６５】
このように構成されたブロック図の動作の説明を行う。まず、各フローチャートのステップ♯※０３にて複数の赤目緩和手段ないの赤目緩和照明７、１４が点灯される。次に、ステップ♯※０６にて赤目緩和照明の動作が制限された場合には、複数の赤目緩和手段の内から所定の赤目緩和手段（例えば１４）が選択されこの赤目緩和照明が消灯される。
【００６６】
以上のように本実施形態によれば、赤目緩和の動作を制限させるのに、複数の赤目緩和手段の内から所定の或いは全ての赤目緩和手段を選択し、この赤目緩和照明を消灯させることにより実現させているので、集光光学系に放熱用の穴を空けたり拡散板を入れて集光させないようにしたりすることなしに、または光線漏れ、熱の影響および拡散板等の追加部材等によるカメラの大型化、コストアップすることなしに、カメラ外観が熱くなって撮影者に不愉快な思いをさせずにすませることができる。
【００６７】
（第１０実施形態）
図１３は本発明の第１０実施形態における赤目緩和照明の動作の制限を説明する。
【００６８】
図１３において、構成要素１から１２までは図１のブロック図における構成要素と同一なので説明を省略する。１６は赤目緩和照明駆動手段６に接続され、赤目緩和照明を点灯させるのに必要な第１の蓄積手段、１７は同じく赤目緩和照明駆動手段６に接続され、赤目緩和照明を点灯させるのに必要な第２の蓄積手段である。
【００６９】
このように構成されたブロック図の動作の説明を行う。まず、各フローチャートのステップ♯※０３にて赤目緩和手段内の複数の蓄積手段１６、１７をもちいて赤目緩和照明７が点灯される。次に、ステップ♯※０６にて赤目緩和照明の動作が制限された場合には、赤目緩和手段の内から所定の蓄積手段（例えば１７）が選択され、この蓄積手段の蓄積されたエネルギを用いることなしに赤目緩和照明７が点灯される。
【００７０】
以上のように本実施形態によれば、赤目緩和の動作を制限させるのに、赤目緩和手段ないから所定の或いは全ての蓄積手段を選択し、この蓄積されたエネルギを不使用とすることにより実現させているので、集光光学系に放熱用の穴を空けたり拡散板を入れて集光させないようにしたりすることなしに、または光線漏れ、熱の影響および拡散板等の追加部材等によるカメラの大型化、コストアップすることなしに、カメラ外観が熱くなって撮影者に不愉快な思いをさせずにすませることができる。
【００７１】
（第１１実施形態）
図１４は本発明の第１１実施形態における赤目緩和照明の動作を制限する。
【００７２】
図１４において、各フローチャートにおけるステップ♯※０４からステップ♯※０６までの内容を本フローチャートにおいて説明を行う。
【００７３】
ステップ♯７０４にて温度検出手段５により、赤目緩和手段８付近の温度測定を行う。この際に赤目緩和手段８付近の温度が所定温度以上であれば（♯７０５）、メモリ手段９により格納されたメモリデータを読み出し（♯７１０）、このデータをもとにどの程度赤目緩和照明の動作を制限させるか、この制限量を補正する（♯７１１）。その後、制限量にて赤目緩和照明の動作を制限させる（♯７０６）。
【００７４】
以上のように本実施形態によれば、メモリ手段からのデータをもとにカメラ個体差を含めて木目細かく赤目緩和照明の動作を制限させるので、集光光学系に放熱用の穴を空けたり、拡散板を入れて集光させないようにしたりすることなしに、光線漏れ、熱の影響および拡散板等の追加部材等によるカメラの大型化、コストアップすることなしに、かつ、通常の撮影の際には所定量の赤目緩和照明を行い赤目発生を抑えるとともに、カメラ外観が熱くなって撮影者に不愉快な思いをさせずにすませることができる。
【００７５】
なお、本実施形態では図２及び図３の赤目緩和手段周辺の温度情報により赤目緩和照明の動作を制限させているが、本発明はこれに限定されるものではない。上述した各条件によって赤目緩和照明の動作を制限させる場合でも同様の効果を得ることができる。
【００７６】
また、メモリ手段９のメモリデータは、開発にて各種研藤吾に決定された値でも、各製品毎に調整された値でも、また書き換え手段１０によってユーザの用途に応じて書き換えられた値でも、同様の効果を得ることができる。
【００７７】
（第１２実施形態）
図１５は本発明の赤目緩和照明の動作を制限する説明である。
【００７８】
図１５において、各フローチャートにおけるステップ♯※０４からステップ♯※０６までの内容を本フローチャートにおいて説明を行う。
【００７９】
ステップ♯８０４にて温度検出手段５により、赤目緩和手段８付近の温度測定を行う。この際に赤目緩和手段８付近の温度が所定温度以上であれば（♯８０５）、赤目緩和手段８付近の温度データをもとにどの程度赤目緩和照明の動作を制限させるか、この制限量を補正する（♯８１１）。その後、制限量にて赤目緩和照明の動作を制限させる（♯８０６）。
【００８０】
以上のように本発明によれば、赤目緩和手段８付近の温度に応じて、カメラ個体差を含めて木目細かく赤目緩和照明の動作を制限させるので、集光光学系に放熱用の穴を空けたり拡散板を入れて集光させないようにしたりすることなしに、光線漏れ、熱の影響および拡散板等の追加部材等によるカメラの大型化、コストアップすることなしに、且つ通常の撮影の際には所定量の赤目緩和照明を行い赤め発生を抑えるとともに、カメラ外観が熱くなって撮影者に不愉快な思いをさせずにすませることができる。
【００８１】
【発明の効果】
本発明によれば、撮影に先立って被写体の赤目を緩和させる赤目緩和手段、赤目緩和手段の周辺に配置される周辺部材、前記赤目緩和手段あるいは前記周辺部材の温度を測定する温度測定手段を有し、赤目緩和手段及びその周辺部材が所定の温度を超えた場合には、赤目緩和手段の動作を停止あるいは制限することにより、集光光学系に放熱用の穴を空けたり拡散板をいれて集光させないようにしたりすること無しに、光線漏れ・熱の影響および拡散版等の追加部材等によるカメラの大型化・コストアップすること無しに、赤目緩和効果のような照射手段の効果を最大限生かしながらも、発熱による影響を押さえることができる。
【００８２】
また本発明によれば、撮影に先立って被写体の赤目を緩和させる赤目緩和手段、電源電圧を検出する電源電圧検出手段を有し、前記電源電圧検出手段の出力に応じて、電源電圧が高い場合には赤目緩和手段の動作を停止あるいは制限することにより同様の効果を生むことができる。
【００８３】
さらに本発明によれば、撮影に先立って被写体の赤目を緩和させる赤目緩和手段、操作手段を有し、前記操作手段の動作に連動して、時系列的に赤目緩和手段の動作を制限することにより同様の効果を生むことができる。
【００８４】
また本発明によれば、撮影に先立って被写体に照射することによって赤目を緩和させる赤目緩和手段、赤目緩和手段の設定条件を変更するモード手段を有し、前記設定モードに応じて、赤目緩和手段の照射光量・回数を変更することにより同様の効果を生むことができる。
【図面の簡単な説明】
【図１】本発明を最も良く表わすブロック図
【図２】本発明の動作を表わすフローチャート
【図３】本発明の別の動作を表わすフローチャート
【図４】本発明の更に別の動作を表わすフローチャート
【図５】本発明の更に別の動作を表わすフローチャート
【図６】本発明の更に別の動作を表わすフローチャート
【図７】本発明の更に別の動作を表わすフローチャート
【図８】本発明の動作を説明するタイミングチャート
【図９】本発明の動作を説明する別のタイミングチャート
【図１０】本発明の動作を説明する更に別のタイミングチャート
【図１１】本発明の動作を説明する更に別のタイミングチャート
【図１２】本発明を表わすブ別のロック図
【図１３】本発明を表わすブ更に別のロック図
【図１４】本発明の動作を説明する更に別のタイミングチャート
【図１５】本発明の動作を説明する更に別のタイミングチャート
【符号の説明】
１　モード設定手段
２　制御手段
３　レリーズ検出手段
４　電源電圧検出手段
５　温度検出手段
６　赤目緩和照明駆動手段
７　赤目緩和照明
８　赤目緩和手段
９　メモリ手段
１０　書き換え手段
１１　撮影準備手段
１２　撮影手段
１３　第２の赤目緩和照明駆動手段
１４　第２の赤目緩和照明
１５　第２の赤目緩和手段
１６　蓄積手段
１７　第２の蓄積手段
【図１】
2004004375.tif 000003
【図２】
2004004375.tif 000004
【図３】
2004004375.tif 000005
【図４】
2004004375.tif 000006
【図５】
2004004375.tif 000007
【図６】
2004004375.tif 000008
【図７】
2004004375.tif 000009
【図８】
2004004375.tif 000010
【図９】
2004004375.tif 000011
【図１０】
2004004375.tif 000012
【図１１】
2004004375.tif 000013
【図１２】
2004004375.tif 000014
【図１３】
2004004375.tif 000015
【図１４】
2004004375.tif 000016
【図１５】
2004004375.tif 000017